(57)【要約】      （修正有）【課題】表情筋などの筋肉に加えられる運動量を可及的に増大し得る携帯用運動器具を提供する。【解決手段】人体の顔面部の表情筋に伸縮運動を施す運動器具であって、運動器具を構成する本体部の頭部には２本のアーム３、４が放射状に取付けられており、その先端には口の口角に嵌める為のストッパー５が形成されている。アームの一部は本体内部に内設されている２本の支軸２に装着されている。２本の支軸に装着されているアームの端部には周囲に歯車９が形成されており、互いに歯合している。アームには調圧されたねじりコイルばね７が装着されており、ねじりコイルばね７の端部はアームに定設された孔１０に固定されている。一方の端部は本体内部の支柱１１に固定されている構造で、アームを可動させることで顔面部の表情筋に可及的に伸縮運動を加えることを特徴とする。【選択図】図３
0003137646.tif 000002
【実用新案登録請求の範囲】
【請求項１】
人体の顔面部の頬・顎等の表情筋を鍛える運動器具にあって、当該運動器具を構成する本体部１の内部には２本の支軸２が設けられている。内挿されているアームＡ３・Ｂ４の端部には歯車９が形成されており、そのアームＡ３・Ｂ４の歯車部分が歯合する状態で支軸２に装着されている。本体１の外縁に出ているアームの一方の端部にはストッパー５が形成されている、アームＡ３・Ｂ４はアームＡ３・Ｂ４と中心線６にて作られる角度を中心線に向かって可変できる構造で、アームＡ３又はＢ４に負荷を加えるためのねじりコイルばね７が装着されている表情筋運動器具。
【請求項２】
請求項１において、ねじりコイルばねの７の圧力が可変できる調整ツマミ８が付いた表情筋運動器具。
【請求項３】
請求項１において、アームＡ３・Ｂ４が中心線６に向かって作る角度の可動幅が０から６０度以下の表情筋運動器具。
【考案の詳細な説明】
【技術分野】
【０００１】本考案は運動器具に関し、更には詳細には顔面の筋肉を伸縮させることで人体の顔面部に表情筋運動を施す運動器具に関する。
【背景技術】
【０００２】顔面部の表情筋を強化するために、アーチ型の形状でコイルばねを用いて口の口角に咥えて使用する図１０の運動器具が生産・発売されている。
【考案の開示】
【考案が解決しようとする課題】
【０００３】顔面付近のシェイプアップには、表情筋に可及的に伸縮等の運動負荷を加えることが必要であり、顔面部特に口周辺には縦・横方向の運動を均等に加えることが好ましい。したがって従来の運動器具では、口角に嵌め込む方法で横方向しか運動を加えることしか出来ないため、運動量が不足して初期の効果が発現しがたい場合がある。
また、本考案の目的は家庭内やスポーツジムなどの運動器具を利用せず、携帯用器具にて表情筋に加えられる運動量を可及的に増大し得る表情筋運動器具を提供することにある。
【課題を解決するための手段】
【０００４】本考案者は、前期目的を達成すべく検討を重ねたところ、製品に取手部分１２を設けることで手の握り方で口中内において縦・横自在に保持することが出来るとともに、従来の口角に咥えるために左右しか加えられない伸縮運動に比較して、顔面部分の表情筋に上下．左右の伸縮運動を加えることができ、使い勝手が良くなり、さらに口中に接する部分をアーチ式でなくアーム式にすることで口中に接する部分が少なくなり衛生的にも改善することを知った。
本考案者は、この知見を基にして更に検討した結果、調圧したばねを使用することで表情筋に可及的に伸縮運動を施すことが出来ることを見出し、本考案に達した。
【考案の効果】
【０００５】本考案によれば、人体の顔面部分の表情筋に容易に上下左右の伸縮運動を加えることが出来るため、顔面部及び首部のシェイプアップを期待することが出来る。
【考案を実施するための最良の形態】
【０００６】本考案は、人体の顔面部分の表情筋に伸縮運動を施す運動器具であって、当該運動器具を構成する本体１の頭部には口に咥える為のストッパー５の付いたアームＡ３・Ｂ４が放射状に出ている、本体内部にはアームＡ３・Ｂ４の他の端部が本体の支軸２に装着されており、その端部の周辺の一部に歯車９が形成されアームＡ３・Ｂ４の歯車部分は互いに歯合している。アームＡ３又はＢ４には予め調圧されたねじりコイルばね７が装着されて一定の負荷をかけないと可動しないようになっている。
アームＡ３・Ｂ４を可動させるには咥えた口を調圧された以上の圧力ですぼめ、唇はアルファベットのＯの字の形にする、数秒間そのままの状態を維持し、その後口を緩めるとアームはばねの力で元に戻る。
一定間隔でこの運度を繰り返すことで、顔面の表情筋に可及的に伸縮運動を加えることを特徴とした表情筋運動器具である。
【実施例】
【０００７】本考案を図面によって更に説明する。
図１は本考案の実施例に係わる運動器具を示す平面図で、図２は側面図、図３は断面図である。図１に示す運動器具の頭部には口にくわえるためのストッパー５の付いたアームＡ３・Ｂ４が放射状に装着されており、ストッパー５は口との嵌めあいを容易にするためにＲ形状に形成されている。
本体内部には２つの支軸２がありその支軸２にアームＡ３・Ｂ４の一方の端部が装着されており、端部の一部には歯車９が形成されている、アームＡ３・Ｂ４の端部の歯車９は互いに歯合している。
アームＡ３には支軸２を支点とした調圧されたねじりコイルばね７が装着されている、ねじりコイルばね７の端部の１つはアームＡ３の孔１０に固定され、他の端部は本体内部の支柱１１に固定されている。アームＡ３・Ｂ４の端部の歯車９は互いに歯合しているので、アームＡ３及びＢ４に単独に圧力を加えてもアームＡ３・Ｂ４は中心線６に向かって同じ角度幅で可動する。【０００８】最初に本体のアームＡ３・Ｂ４先端部のストッパー５を口の口角で咥え、手の指で本体取手部分１２を保持しながら、予め調圧された以上の圧力で口をアルファベットのＯの字のようにすぼめ、数秒後口を緩めるとアームＡ３・Ｂ４はばねの力で元に戻る、この一連の運動を繰り返えす、次にアームＡ３・Ｂ４の先端部のストッパー５を上下の唇で咥える、予め調圧された以上の圧力で口をすぼめ、数秒後に口を緩めるとアームＡ３・Ｂ４はばねの力で元に戻る。この２通りの一連の動作を繰り返すことで顔面部に対する表情筋に伸縮運動を施し、表情筋を鍛えることが出来る。【０００９】図４は請求項２の平面図であり、図５は側面図、図６の断面図である、図７は断面の詳細図で、図８ねじりコイルばねの可動の状態を示す図である。
本体中央部には強さ調整用のツマミ８がついている、ツマミ８の上部付近には強さの度合いを示すインジケーター１３が付いている、このインジケーター１３の指針部分１５はアジャスター１４の一部が表面に出たものである。【００１０】図９はツマミとアジャスターとの嵌合状態を示す、ツマミ８にはネジ１６がインサートされており、アジャスター１４にはナット１７がインサートされている。ツマミ８のねじ部にはアジャスター１４のナット部分が緩装されており、つまみ８を回すと内部のアジャスター１４が連動して溝１８に沿って上下に摺動するようになっている。【００１０】図８においてアジャスター１４が上部方向にＡ点からＢ点に移動すると、ねじりコイルばね７の圧力は強まりアームＡ３・Ｂ４の中心線方向えの負荷は増大し、逆にＢ点からＡ点に移動するとねじりコイルばね７の圧力は弱まりアームＡ３・Ｂ４の中心線方向えの負荷は減少する。
このねじりコイルばね７の角度幅１９を変化させることで強さを調整する機構である。
【産業上の利用可能性】
【図面の簡単な説明】
【００１２】
【図１】本考案の請求項１の実施例を示す平面図である。
【図２】本考案の請求項１の実施例を示す側面図である。
【図３】本考案の請求項１の実施例を示す断面図である。
【図４】本考案の請求項２の実施例を示す平面図である。
【図５】本考案の請求項２の実施例を示す側面図である。
【図６】本考案の請求項２の実施例を示す断面図である。
【図７】本考案の請求項２の実施例を示す詳細断面図である。
【図８】本考案の請求項２の実施例を示す強さ調整ばねの可動状態をします図である。
【図９】本考案の請求項２の実施例を示すツマミとアジャスターの装着状態を示す図である。
【図１０】市販の表情筋運動器具の略図
【符号の説明】
１  本体部
２  支軸
３  アームＡ
４  アームＢ
５  ストッパー
６  中心
７  ねじりコイルばね
８  ツマミ
９  歯車
１０  孔
１１  支柱
１２  取手部
１３  インジケーター部
１４  アジャスタ−
１５  インジケーター指針部
１６  ツマミのネジ部
１７  アジャスターのナット部
１８  アームの可動範囲を示す
１９  ねじりコイルばねの角度の変位
【図１】
0003137646.tif 000003
【図２】
0003137646.tif 000004
【図３】
0003137646.tif 000005
【図４】
0003137646.tif 000006
【図５】
0003137646.tif 000007
【図６】
0003137646.tif 000008
【図７】
0003137646.tif 000009
【図８】
0003137646.tif 000010
【図９】
0003137646.tif 000011
【図１０】
0003137646.tif 000012
【手続補正書】
【提出日】平成19年8月22日(2007.8.22)
【手続補正１】
【補正対象書類名】実用新案登録請求の範囲
【補正対象項目名】請求項１
【補正方法】変更
【補正の内容】
【請求項１】
人体の顔面部分の頬・顎等の表情筋を鍛える運動器具にあって、当該運動器具を構成する本体部１の内部には２本の支軸２が設けられ、内挿されているアームＡ３・Ｂ４の端部には歯車９が形成されている、そのアームＡ３・Ｂ４の歯車部分は歯合する状態で支軸２に装着され、本体１の外縁に出ているアームの端部にはストッパー５が形成されている、アームＡ３・Ｂ４はアームＡ３・Ｂ４と中心線６にて作られる角度を中心に向かって可変できる構造で、アームＡ３又はＢ４に負荷を加えるためのねじりコイルばね７が装着されている表情筋運動器具。